(57)【要約】【課題】カニューラの挿入後に挿入装置から取外しやすい挿入装置用補助器具を提供する。【解決手段】挿入装置用補助器具は、本体１００と、本体１００に取り付けられたコイルばね２００と、本体１００に対して上下方向に移動可能に設けられ、コイルばね２００の付勢力により挿入装置６００とともに下方向に付勢されるプランジャ３００とを備える。本体１００におけるトリガー１３０は、挿入装置６００の外筒６２０に係合可能な係合突起１３０Ａを含む。カニューラ７１０の挿入前は、挿入装置６００が、コイルばね２００の付勢力に抗してプランジャ３００を上方向に支持することにより、プランジャ３００および挿入装置６００の下方向への移動が規制される。他方、カニューラ７１０を挿入する時は、係合突起１３０Ａと係合穴６２０Ａとの係合が解除され、コイルばね２００の付勢力により付勢されたプランジャ３００および挿入装置６００が下方向に移動する。【選択図】図５
2011045537.tif 000002
【特許請求の範囲】
【請求項１】
皮下注入器の留置部材におけるカニューラを装着者の体内に挿入するための挿入装置用補助器具であって、
本体と、
前記本体に取り付けられた付勢部材と、
前記本体に対して上下方向に移動可能に設けられ、前記付勢部材の付勢力により前記挿入装置とともに下方向に付勢されるプランジャとを備え、
前記本体と前記挿入装置との間に係合部が設けられ、
前記カニューラの挿入前は、前記挿入装置が、前記付勢部材の付勢力に抗して前記プランジャを上方向に支持することにより、前記プランジャおよび前記挿入装置の下方向への移動が規制され、
前記カニューラを挿入する時は、前記係合部の係合が解除され、前記付勢部材の付勢力により付勢された前記プランジャおよび前記挿入装置が下方向に移動する、挿入装置用補助器具。
【請求項２】
前記挿入装置は、
前記カニューラに挿入される穿刺針と、
前記穿刺針を保持する外筒と、
前記外筒と同軸に位置するように該外筒内に挿入された内筒とを含み、
前記外筒の側面に穴部が形成され、
前記本体は、前記穴部に係合可能な突起部を含み、
前記突起部および前記穴部により前記係合部が形成され、
前記カニューラの挿入前は、前記挿入装置が、前記付勢部材の付勢力に抗して前記プランジャを上方向に支持する、請求項１に記載の挿入装置用補助器具。
【請求項３】
前記留置部材は、
装着者の体表に固定されるベース部と、
前記ベース部から上方向に突出する突出部とを含み、
前記ベース部と前記突出部との間に凹部が形成され、
前記挿入装置は、前記凹部に係合可能な第１突起部と、前記第１突起とは異なる第２突起部とを含み、
前記本体は、前記第２突起部と係合可能な第３突起部を含み、
前記第２突起部および前記第３突起部により前記係合部が形成され、
前記カニューラの挿入前は、前記挿入装置が、前記留置部材を介して、前記付勢部材の付勢力に抗して前記プランジャを上方向に支持する、請求項１に記載の挿入装置用補助器具。
【発明の詳細な説明】
【技術分野】
【０００１】
本発明は、挿入装置用補助器具に関し、特に、皮下注入器の留置部材におけるカニューラを装着者の体内に挿入するための挿入装置用補助器具に関する。
【背景技術】
【０００２】
装着者の体内に薬液を注入するための皮下注入器が従来から知られている。皮下注入器の一般的な例として、装着者の体内にカニューラを挿入するように、装着者の体表に留置部材を留置するものが知られている。
【０００３】
上記のような留置部材のカニューラを装着者の体内に自動挿入するための補助器具としては、たとえば、特表２００３−５２７１３８号公報（特許文献１）に記載のものが、従来から知られている。
【先行技術文献】
【特許文献】
【０００４】
【特許文献１】特表２００３−５２７１３８号公報
【発明の概要】
【発明が解決しようとする課題】
【０００５】
特許文献１に記載の装置では、キャリヤ本体が挿入セットを正しい位置に支持する収容構造を備えており、挿入セットの一部（カニューラ）が患者の皮膚を貫通して挿入された後、挿入セットからキャリヤ本体を取り外すこととされている（当該文献の［請求項１］等を参照）。しかし、カニューラの挿入後に、キャリヤ本体を必ずしも簡単に取り外せるものではない。
【０００６】
本発明は、上記のような問題に鑑みてなされたものであり、本発明の目的は、皮下注入器の留置部材におけるカニューラを装着者の体内に挿入する際に、カニューラの挿入後に挿入装置から取外しやすい挿入装置用補助器具を提供することにある。
【課題を解決するための手段】
【０００７】
本発明に係る挿入装置用補助器具は、皮下注入器の留置部材におけるカニューラを装着者の体内に挿入するための挿入装置用補助器具である。より具体的には、当該補助器具は、カニューラの自動挿入を補助するためのものである。
【０００８】
１つの実施態様では、上記補助器具は、本体と、本体に取り付けられた付勢部材と、本体に対して上下方向に移動可能に設けられ、付勢部材の付勢力により挿入装置とともに下方向に付勢されるプランジャとを備える。
【０００９】
なお、本願明細書において、『上方向』とは装着者の体表から離れる方向を、『下方向』とは装着者の体表に近づく方向を、『上下方向』とは装着者の体表に対して略垂直な方向を意味する。
【００１０】
上記補助器具において、本体と挿入装置との間に係合部が設けられる。カニューラの挿入前は、挿入装置が、付勢部材の付勢力に抗してプランジャを上方向に支持することにより、プランジャおよび挿入装置の下方向への移動が規制される。他方、カニューラを挿入する時は、係合部の係合が解除され、付勢部材の付勢力により付勢されたプランジャおよび挿入装置が下方向に移動する。
【００１１】
なお、『挿入装置が、付勢部材の付勢力に抗してプランジャを上方向に支持する』とは、挿入装置がプランジャを直接支持する場合と、挿入装置が、留置部材などの他の部材を介して、プランジャを間接的に支持する場合とを含む。
【００１２】
上記構成によれば、付勢部材の付勢力により付勢されたプランジャおよび挿入装置が下方向に移動することにより、カニューラの自動挿入を行なうことが可能である。他方、カニューラの挿入前においては、挿入装置が、付勢部材の付勢力に抗してプランジャを上方向に支持しているため、プランジャが挿入装置を支持する必要がない。したがって、挿入装置を支持するための構造をプランジャに設ける必要がなく、カニューラの挿入後、プランジャと挿入装置との分離を容易に行なうことができる。すなわち、カニューラの挿入後に挿入装置から取外しやすい挿入装置用補助器具が得られる。
【００１３】
１つの具体例では、上記挿入装置は、カニューラに挿入される穿刺針と、穿刺針を保持する外筒と、外筒と同軸に位置するように該外筒内に挿入された内筒とを含む。上記外筒の側面に穴部が形成される。他方、本体は、この穴部に係合可能な突起部を含む。上記突起部および穴部により係合部が形成され、カニューラの挿入前は、挿入装置が、付勢部材の付勢力に抗してプランジャを上方向に支持する。
【００１４】
他の具体例では、留置部材は、装着者の体表に固定されるベース部と、ベース部から上方向に突出する突出部とを含み、ベース部と突出部との間に凹部が形成され、挿入装置は、凹部に係合可能な第１突起部と、第１突起とは異なる第２突起部とを含み、本体は、第２突起部と係合可能な第３突起部を含み、第２突起部および第３突起部により係合部が形成され、カニューラの挿入前は、挿入装置が、留置部材を介して、付勢部材の付勢力に抗して前記プランジャを上方向に支持する。
【００１５】
本発明の範囲は、上述の具体例に限定されるものではなく、カニューラの挿入前においてプランジャが挿入装置を直接支持しないものであれば、本発明の範囲に含まれると解されるべきである。たとえば、さらなる変形例として、カニューラの挿入前において、挿入装置の外筒が内筒を内周側に若干変形させ、内筒と留置部材とが係合し、留置部材を介して挿入装置がプランジャを上方向に支持する例が挙げられる。
【発明の効果】
【００１６】
本発明によれば、皮下注入器の留置部材におけるカニューラを装着者の体内に挿入するための挿入装置用補助器具であって、カニューラの挿入後に挿入装置から取外しやすいものを提供することができる。
【図面の簡単な説明】
【００１７】
【図１】本発明の実施の形態１に係る挿入装置用補助器具の分解斜視図（その１）である。
【図２】本発明の実施の形態１に係る挿入装置用補助器具の分解斜視図（その２）である。
【図３】本発明の実施の形態１に係る挿入装置用補助器具を用いた挿入動作の第１段階を示す断面図（その１）である。
【図４】本発明の実施の形態１に係る挿入装置用補助器具を用いた挿入動作の第１段階を示す断面図（その２）である。
【図５】本発明の実施の形態１に係る挿入装置用補助器具を用いた挿入動作の第２段階を示す断面図（その１）である。
【図６】本発明の実施の形態１に係る挿入装置用補助器具を用いた挿入動作の第２段階を示す断面図（その２）である。
【図７】本発明の実施の形態１に係る挿入装置用補助器具を用いた挿入動作の第３段階を示す断面図（その１）である。
【図８】本発明の実施の形態１に係る挿入装置用補助器具を用いた挿入動作の第３段階を示す断面図（その２）である。
【図９】本発明の実施の形態１に係る挿入装置用補助器具を用いた挿入動作の第４段階を示す断面図（その１）である。
【図１０】本発明の実施の形態１に係る挿入装置用補助器具を用いた挿入動作の第４段階を示す断面図（その２）である。
【図１１】本発明の実施の形態１に係る挿入装置用補助器具を用いた挿入動作の第５段階を示す断面図（その１）である。
【図１２】本発明の実施の形態１に係る挿入装置用補助器具を用いた挿入動作の第５段階を示す断面図（その２）である。
【図１３】本発明の実施の形態１に係る挿入装置用補助器具を用いた挿入動作の第６段階を示す断面図（その１）である。
【図１４】本発明の実施の形態１に係る挿入装置用補助器具を用いた挿入動作の第６段階を示す断面図（その２）である。
【図１５】本発明の実施の形態１に係る挿入装置用補助器具を用いた挿入動作の第７段階を示す断面図（その１）である。
【図１６】本発明の実施の形態１に係る挿入装置用補助器具を用いた挿入動作の第７段階を示す断面図（その２）である。
【図１７】本発明の実施の形態１に係る挿入装置用補助器具を用いた挿入動作の第８段階を示す断面図（その１）である。
【図１８】本発明の実施の形態１に係る挿入装置用補助器具を用いた挿入動作の第８段階を示す断面図（その２）である。
【図１９】本発明の実施の形態１に係る挿入装置用補助器具にセットされる挿入装置（留置部材を保持した状態）の側面図である。
【図２０】本発明の実施の形態２に係る挿入装置用補助器具に挿入装置をセットした状態を示す斜視図（その１）である。
【図２１】本発明の実施の形態２に係る挿入装置用補助器具に挿入装置をセットした状態を示す斜視図（その２）である。
【図２２】本発明の実施の形態２に係る挿入装置用補助器具に挿入装置をセットした状態を示す断面図（その１）である。
【図２３】本発明の実施の形態２に係る挿入装置用補助器具に挿入装置をセットした状態を示す断面図（その２）である。
【発明を実施するための形態】
【００１８】
以下に、本発明の実施の形態について説明する。なお、同一または相当する部分に同一の参照符号を付し、その説明を繰返さない場合がある。
【００１９】
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。
【００２０】
また、後述する実施の形態１，２の構成を適宜組み合わせることは、当初から予定されている。
【００２１】
（実施の形態１）
図１は、実施の形態１に係る挿入装置用補助器具の分解斜視図である。図１，図２を参照して、本実施の形態に係る補助器具は、本体１００と、コイルばね２００，５００と、プランジャ３００とを含む。
【００２２】
本体１００は、上蓋１１０と、筒体１２０と、トリガー１３０とを含む。図２に示すように、上蓋１１０は、コイルばね２００の上端部を収容する縦穴１１０Ａを有する。筒体１２０は、上蓋１１０と組合わされる。トリガー１３０は、コイルばね５００とともに上蓋１１０および筒体１２０に対して回動可能に固定される。トリガー１３０は、後述する挿入装置６００の外筒６２０に設けられた係合穴６２０Ａに係合可能な係合突起１３０Ａを有している。後述するように、係合突起１３０Ａの係合を解除することで、プランジャ３００の下方向に向けた移動が開始される。
【００２３】
コイルばね２００は、プランジャ３００を下方向に付勢するものである。コイルばね２００の付勢力により、留置部材の自動挿入が行なわれる。コイルばね２００は、上蓋１１０の縦穴１１０Ａと、プランジャ３００の突起部３１０とに、その両端を保持される。すなわち、コイルばね２００の上端部は縦穴１１０Ａに収容され、コイルばね２００の下端部は突起部３１０に外嵌される。
【００２４】
図２に示すように、プランジャ３００の内周面には、凹部３２０が形成されている。凹部３２０に、後述する挿入装置６００の外筒６２０の一部（図１９に示す凸部６４０）が嵌合することで、挿入装置６００がプランジャ３００を上方向に支持することができる。
【００２５】
以下では、図１，図２に示す補助器具を用いた留置部材挿入の一連の動作を、第１段階から第８段階に分けて説明する。
【００２６】
［第１段階］
図３，図４は、本実施の形態に係る挿入装置用補助器具を用いた挿入動作の第１段階を示す断面図である。なお、図３，図４は、互いに周方向に９０度シフトした位置の断面を示すものである（この点については、後述の図５〜図１８も同様）。
【００２７】
図３，図４を参照して、留置部材７００を保持した挿入装置６００を準備する。挿入装置６００は、穿刺針６１０と、外筒６２０と、内筒６３０とを含む。挿入装置６００は、皮下注入器を構成する留置部材７００を装着者の体内に挿入するためのものである。
【００２８】
留置部材７００は、インスリン持続皮下注入法（CSII:Continuous Subcutaneous Insulin Infusion）に用いられる皮下注入器を構成するものであって、カニューラ７１０と、突出部７２０と、ベース部７３０とを含む。カニューラ７１０は、装着者の体内に挿入される部分である。突出部７２０は、ベース部７３０に対して上方向に突出する部分であり、突出部７２０に薬液供給部を接続することにより、カニューラ７１０に該薬液が供給される。ベース部７３０は、装着者の体表に取り付けられる部分であって、その裏面（図３，図４における下側の面）には、ベース部７３０を患者（装着者）の皮膚に固定するための接着層が設けられている。
【００２９】
なお、上記皮下注入器は、インスリン以外の薬液を体内に供給するための用途（たとえば疼痛治療など）にも適用可能である。
【００３０】
挿入装置６００における穿刺針６１０は、金属製の針であり、カニューラ７１０を装着者の体内に挿入する際の芯材となるものである。外筒６２０は、穿刺針６１０を保持している。内筒６３０は、外筒６２０と同軸に配置される。外筒６２０と内筒６３０とは、軸方向に沿って相対的に移動可能である。
【００３１】
内筒６３０の先端部には、留置部材７００に係合する内側係合部６３０Ａと、外筒６２０に係合する外側係合部６３０Ｂとが形成されている。内側係合部６３０Ａおよび外側係合部６３０Ｂが形成されることにより、内筒６３０とともに留置部材７００および外筒６２０を上方向に移動させることが可能となる。
【００３２】
［第２段階］
図５，図６は、本実施の形態に係る挿入装置用補助器具を用いた挿入動作の第２段階を示す断面図である。
【００３３】
図５，図６を参照して、留置部材７００を保持した挿入装置６００を補助器具に挿入する。挿入装置６００および留置部材７００は、本体１００の下側（筒体１２０に対して上蓋１１０の反対側）から本体１００内に挿入される。
【００３４】
［第３段階］
図７，図８は、本実施の形態に係る挿入装置用補助器具を用いた挿入動作の第３段階を示す断面図である。
【００３５】
図７，図８を参照して、本体１００内に挿入された挿入装置６００および留置部材７００を、コイルばね２００の付勢力に抗して、上方向に押し上げる。挿入装置６００および留置部材７００にはコイルばね２００の付勢力が作用するが、トリガー１３０の係合突起１３０Ａが外筒６２０の係合穴６２０Ａに係合するまで挿入装置６００および留置部材７００を押し上げることで、プランジャ３００、挿入装置６００および留置部材７００は、コイルばね２００が圧縮された位置に保持される。すなわち、係合突起１３０Ａを介して挿入装置６００の外筒３２０が本体１００に保持され、当該外筒６２０の一部（図１９に示す凸部６４０）が上述の凹部３２０（図２参照）に嵌合することによりプランジャ３００も上方に支持される。
【００３６】
［第４段階］
図９，図１０は、本実施の形態に係る挿入装置用補助器具を用いた挿入動作の第４段階を示す断面図である。
【００３７】
図９，図１０を参照して、トリガー１３０の上端部を矢印ＤＲ１３０方向に押圧することにより、係合突起１３０Ａと外筒６２０との係合が解除される。なお、トリガー１３０は、コイルばね５００の付勢力により、係合突起１３０Ａが外筒６２０に係合する方向に付勢されている。これにより、トリガー１３０と外筒６２０との間の係合状態が確保されている。トリガー１３０の上端部を矢印ＤＲ１３０方向に回動させる操作は、コイルばね５００の付勢力に抗して行なわれる。
【００３８】
［第５段階］
図１１，図１２は、本実施の形態に係る挿入装置用補助器具を用いた挿入動作の第５段階を示す断面図である。
【００３９】
図１１，図１２を参照して、コイルばね２００の付勢力により、挿入装置６００および留置部材７００が下方向に付勢される。この結果、挿入装置６００の穿刺針６１０とともに、留置部材７００のカニューラ７１０が装着者の皮膚を貫通して体内に挿入される。また、留置部材７００のベース部７３０の裏面が装着者の体表に当接し、上述した接着層の作用により、ベース部７３０が体表に固定される。
【００４０】
［第６段階］
図１３，図１４は、本実施の形態に係る挿入装置用補助器具を用いた挿入動作の第６段階を示す断面図である。
【００４１】
図１３，図１４を参照して、カニューラ７１０を装着者の体内に挿入した状態で、上記補助器具が取り外される。この際、プランジャ３００が挿入装置６００を保持していないため、補助器具の取外しを簡単に行なうことができる。
【００４２】
［第７段階］
図１５，図１６は、本実施の形態に係る挿入装置用補助器具を用いた挿入動作の第７段階を示す断面図である。
【００４３】
図１５，図１６を参照して、装着者は、親指で内筒６３０の上面を押圧しながら、その他の指（たとえば、人差し指と中指）で外筒６２０を挟持し、外筒６２０を上方に引き上げる。これにより、穿刺針６１０は外筒６２０とともに上方に移動し、内筒６３０に収納される。ここで、図１５に示すように、内筒６３０の下面が留置部材７００のベース部７３０に当接しているため、留置部材７００は装着者の体表に押し付けられている。したがって、留置部材７００が装着者の体表から離れることを防止するために留置部材７００のベース部７３０を、外筒６２０を挟持していないもう一方の手で下方に押圧する必要がなく、穿刺針６１０の収納動作を片手で行なうことができる。
【００４４】
上記収納動作が完了した状態では、図１６に示すように、外筒６２０の下端部により内筒６３０の傾斜部６３０Ｃが径方向内方に押圧される。これにより、内側係合部６３０Ａが矢印ＤＲ６３０方向に開き、内筒６３０と留置部材７００との係合が解除される。
【００４５】
［第８段階］
図１７，図１８は、本実施の形態に係る挿入装置用補助器具を用いた挿入動作の第８段階を示す断面図である。
【００４６】
図１７，図１８は、留置部材７００の取付完了後、挿入装置を取り外した状態を示すものである。図１７，図１８に示すように、挿入装置６００は、留置部材７００に対して上方向に離れるように取り外される。この際、内筒６３０の内側係合部６３０Ａと留置部材７００との係合は解除されているため、挿入装置６００を留置部材７００から簡単に取り外すことが可能である。さらに、穿刺針６１０は内筒６３０内に収納されているため、穿刺針６１０の先端で誤穿刺する惧れがない。
【００４７】
［作用効果］
本発明に係る挿入装置用補助器具によれば、コイルばね２００の付勢力により付勢されたプランジャ３００および挿入装置６００が下方向に移動することにより、カニューラ７１０の自動挿入を行なうことが可能である。他方、カニューラ７１０の挿入前においては、挿入装置６００が、コイルばね２００の付勢力に抗してプランジャ３００を上方向に支持しているため、プランジャ３００が挿入装置を支持する必要がない。したがって、挿入装置６００を支持するための構造をプランジャ３００に設ける必要がなく、カニューラ７１０の挿入後、プランジャ３００と挿入装置６００との分離を容易に行なうことができる。すなわち、カニューラ７１０の挿入後に挿入装置６００から取外しやすい挿入装置用補助器具が得られる。
【００４８】
［要約］
上述した内容について要約すると、以下のようになる。すなわち、本実施の形態に係る挿入装置用補助器具は、皮下注入器の留置部材におけるカニューラ７１０を装着者の体内に挿入するための挿入装置６００用の補助器具であって、本体１００と、本体１００に取り付けられた『付勢部材』としてのコイルばね２００と、本体１００に対して上下方向に移動可能に設けられ、コイルばね２００の付勢力により挿入装置６００とともに下方向に付勢されるプランジャ３００とを備える。
【００４９】
挿入装置６００は、カニューラ７１０に挿入される穿刺針６１０と、穿刺針６１０を保持する外筒６２０と、外筒６２０と同軸に位置するように該外筒６２０内に挿入された内筒６３０とを含む。外筒６２０の側面に『穴部』としての係合穴６２０Ａが形成される。
【００５０】
本体１００は、係合穴６２０Ａに係合可能な『突起部』としての係合突起１３０Ａを含む。係合突起１３０Ａおよび係合穴６２０Ａにより本体１００と挿入装置６００との間に『係合部』が形成され、カニューラ７１０の挿入前は、挿入装置６００が、コイルばね２００の付勢力に抗してプランジャ３００を上方向に支持することにより、プランジャ３００および挿入装置６００の下方向への移動が規制される。他方、カニューラ７１０を挿入する時は、係合突起１３０Ａと係合穴６２０Ａとの係合が解除され、コイルばね２００の付勢力により付勢されたプランジャ３００および挿入装置６００が下方向に移動する。
【００５１】
（実施の形態２）
図２０，図２１は、実施の形態２に係る挿入装置用補助器具に挿入装置をセットした状態を示す斜視図であり、図２２，図２３は、図２０，図２１の状態を示す断面図である。なお、図２２，図２３は、互いに周方向に９０度シフトした位置の断面を示すものである。
【００５２】
本実施の形態に係る挿入装置用補助器具は、実施の形態１に係るものの変形例であって、実施の形態１に係る補助器具が、カニューラ７１０の挿入前において、挿入装置６００がプランジャ３００を上方向に支持するものであるのに対し、本実施の形態に係る補助器具は、同じくカニューラ７１０の挿入前において、挿入装置６００が、留置部材７００を介してプランジャ３００を上方向に支持するものである。
【００５３】
すなわち、本実施の形態に係る補助器具では、挿入装置６００の外筒６２０は、留置部材７００におけるベース部７３０と突出部７２０との間に形成された凹部７２０Ａに係合可能な係合突起６２０Ｂ（第１突起部）を含む。なお、挿入装置６００から補助器具を取り外した後に、操作部６２０Ｃを矢印ＤＲ６２０Ｃ方向に押圧することにより、係合突起６２０Ｂと凹部７２０Ａとの係合が解除され、内筒６３０に対して外筒６２０をスライドさせることが可能となる。挿入装置６００の外筒６２０は、さらに、下方向に向かって広がる『ハの字状』に形成された係合突起６２０Ｄ（第２突起部）を有しており、カニューラ７１０の挿入前は、図２３に示すように、係合突起６２０Ｄの下端が本体１００の突起部１００Ａ（第３突起部）と係合している。突起部１００Ａおよび係合突起６２０Ｄにより本体１００と挿入装置６００との間に『係合部』が形成され、カニューラ７１０の挿入前は、挿入装置６００が、留置部材７００を介して、コイルばね２００の付勢力に抗してプランジャ３００を上方向に支持することにより、プランジャ３００および挿入装置６００の下方向への移動が規制される。他方、カニューラ７１０を挿入する時は、トリガー１３０を図２３の下方向に押圧することにより、『ハの字状』の係合突起６２０Ｄの下端が内側に押され、係合突起６２０Ｄの下端と突起部１００Ａとの係合が解除され、コイルばね２００の付勢力により付勢されたプランジャ３００および挿入装置６００が下方向に移動する。
【００５４】
本実施の形態に係る挿入装置用補助器具においても、コイルばね２００の付勢力により付勢されたプランジャ３００および挿入装置６００が下方向に移動することにより、カニューラ７１０の自動挿入を行なうことが可能である。他方、カニューラ７１０の挿入前においては、挿入装置６００が、留置部材７００を介して、コイルばね２００の付勢力に抗してプランジャ３００を上方向に支持しているため、プランジャ３００が挿入装置を支持する必要がなく、実施の形態１と同様に、カニューラ７１０の挿入後に挿入装置６００から取外しやすい挿入装置用補助器具が得られる。
【００５５】
以上、本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【符号の説明】
【００５６】
１００  本体、１００Ａ  突起部、１１０  上蓋、１１０Ａ  縦穴、１２０  筒体、１３０  トリガー、１３０Ａ  係合突起、２００  コイルばね、３００  プランジャ、３１０  突起部、３２０  凹部、５００  コイルばね、６００  挿入装置、６１０  穿刺針、６２０  外筒、６２０Ａ  係合穴、６２０Ｂ，６２０Ｄ  係合突起、６２０Ｃ  操作部、６３０  内筒、６３０Ａ  内側係合部、６３０Ｂ  外側係合部、６３０Ｃ  傾斜部、６４０  凸部、７００  留置部材、７１０  カニューラ、７２０  突出部分、７２０Ａ  係合凹部、７３０  ベース部。
【図１】
2011045537.tif 000003
【図２】
2011045537.tif 000004
【図３】
2011045537.tif 000005
【図４】
2011045537.tif 000006
【図５】
2011045537.tif 000007
【図６】
2011045537.tif 000008
【図７】
2011045537.tif 000009
【図８】
2011045537.tif 000010
【図９】
2011045537.tif 000011
【図１０】
2011045537.tif 000012
【図１１】
2011045537.tif 000013
【図１２】
2011045537.tif 000014
【図１３】
2011045537.tif 000015
【図１４】
2011045537.tif 000016
【図１５】
2011045537.tif 000017
【図１６】
2011045537.tif 000018
【図１７】
2011045537.tif 000019
【図１８】
2011045537.tif 000020
【図１９】
2011045537.tif 000021
【図２０】
2011045537.tif 000022
【図２１】
2011045537.tif 000023
【図２２】
2011045537.tif 000024
【図２３】
2011045537.tif 000025